(57)【要約】  【課題】  高音質のデジタル音声放送を実現できる放送装置を提供する。  【解決手段】  放送装置１０は、音源１２ａ〜１２ｎ、デジタル変換部１４ａ〜１４ｎ、送信先構成部１６ａ〜１６ｎを備え、送信先が異なる複数の音声パケットを生成する。そして、多重化部１８は、送信先が異なる複数の音声パケットを多重化して多重化パケットを生成し、送信部２０から送信する。デジタル変換部１４ａ〜１４ｎ、送信先構成部１６ａ〜１６ｎ、および多重化部１８には、同期制御部２２からクロック信号が供給され、デジタル変換部１４ａ〜１４ｎ、送信先構成部１６ａ〜１６ｎ、および多重化部１８は、同一のクロック信号で動作する。【選択図】  図１
2007006015.tif 000002
【特許請求の範囲】
【請求項１】
送信先が異なる複数の音声パケットをそれぞれ生成する複数の音声パケット生成部と、
前記送信先が異なる複数の音声パケットを多重化して多重化パケットを生成する多重化部と、
前記複数の音声パケット生成部および前記多重化部を同期させる同期制御部と、
前記多重化部にて生成された多重化パケットを送出する多重化パケット送出部と、
を備えたことを特徴とする放送装置。
【請求項２】
前記同期制御部は、前記複数の音声パケット生成部および前記多重化部にクロック信号を供給するクロック発振器であることを特徴とする請求項１に記載の放送装置。
【請求項３】
音声パケットの送信先をグルーピングするグルーピング情報を記憶した送信先情報記憶部を備え、
前記多重化部は、送信先情報記憶部に記憶された送信先のグルーピング情報に基づいて、グルーピングされた送信先毎に前記音声パケットを多重化することを特徴とする請求項１に記載の放送装置。
【請求項４】
送信先の異なる複数の音声パケットを多重化した多重化パケットを送信する放送装置と、前記放送装置から送信された多重化パケットを受信し、受信した多重化パケットを音声パケットに分解してそれぞれの送信先に送信する多重分解装置と、を備え、
前記放送装置は、
送信先が異なる複数の音声パケットをそれぞれ生成する複数の音声パケット生成部と、
送信先が異なる複数の音声パケットを多重化して多重化パケットを生成する多重化部と、
前記複数の音声パケット生成部および前記多重化部を同期させる同期制御部と、
前記多重化部にて生成された多重化パケットを送出する多重化パケット送出部と、
を備えたことを特徴とする放送システム。
【発明の詳細な説明】
【技術分野】
【０００１】
本発明は、音声放送を行う放送装置および放送システムに関し、特に、音声データのデジタル伝送技術に関する。
【背景技術】
【０００２】
従来、天井などに取付けられた複数のスピーカ等から音声出力する業務放送においては、音源とスピーカとをスピーカ線で接続し、音声データをアナログ伝送していた。アナログ伝送方式では、例えばフロアによって定められた系統ごとにスピーカ線が敷設され、同じ系統には同じ放送内容が流される。従って、例えば、１社貸切りだったフロアが２社の共有に変更される場合には、異なる放送をするために新しいスピーカ線を敷設しなければならない。このように、アナログ伝送方式では、系統の変更が困難であった。
【０００３】
最近では、業務放送においてもデジタル伝送方式が採用されるようになってきている。デジタル伝送方式においては、所定長のパケットに音声データを入れて送信する。この場合、所定長のパケットに音声データが蓄積されてから送信処理を行うと、所定長の音声データが蓄積される時間分の遅延が生じる。例えば、２４ｋＨｚ、１６ｂｉｔの音声データを圧縮しないで１５００Ｂｙｔｅの音声データを蓄積するためには、約３１ｍｓ要する。圧縮した音声データを使用した場合には、さらに時間がかかる。
【０００４】
音声データを遅延なく送信するためには、１パケット中の音声データを少なくして送出することも考えられる。しかし、パケットに占める音声データのサイズが小さくなればなるほど、オーバーヘッドが大きくなり、ネットワークの帯域を必要以上に占有する原因となる。
【０００５】
ＶｏＩＰ等による電話通信においては、上記のような問題を解決する技術が提供されている。例えば、特許文献１には、音声の伝送遅延の増大を招くことなく、ＩＰパケットのオーバーヘッドを低減するパケット通信システムが開示されている。
【０００６】
特許文献１に記載されたパケット通信システムでは、多重伝送装置が、複数のＶｏＩＰ端末から送信されたＩＰパケットを多重化して、通信相手側の多重伝送装置に送信する。通信相手側の多重伝送装置は、多重化されたＩＰパケットを分解して、通信相手端末に送信する。特許文献１の発明では、通信制御装置が電話番号に対応するＩＰアドレスを検索し、多重伝送装置に通知するので、それぞれのＶｏＩＰ端末が他のＶｏＩＰ端末のＩＰアドレスを記憶しておく必要がないことを特徴としている。特許文献１のパケット通信システムでは、それぞれのＶｏＩＰ端末から送信された音声データの複数のＩＰパケットを多重化することにより、オーバーヘッドの増大を抑止すると共に、音声データの遅延を低減している。
【特許文献１】特開２００４−２００７９１（５−７頁、図１）
【発明の開示】
【発明が解決しようとする課題】
【０００７】
しかし、特許文献１に記載されたパケット通信システムでは、音声データの送信側と受信側のＶｏＩＰ端末との間で直接にＩＰパケットを送受信するのではなく、両者の間には多重伝送装置が介在する。このため、送信側のＶｏＩＰ端末と多重伝送装置と受信側のＶｏＩＰ端末が独立して動作していることにより、同期制御をすることが困難となり、それぞれの伝送間隔にズレが生じる。この伝送間隔のズレにより受信側で適切な音声出力を行えない場合がある。
【０００８】
特許文献１に記載されたパケット通信システムは、電話による通話を前提としているので、ノイズや音飛び等で多少音質が低下しても問題はないが、例えば音楽などを出力する放送装置においては、音質が低下すると、聴く人に不快感を与える。
【０００９】
そこで、本発明は上記背景に鑑み、高音質のデジタル音声放送を実現できる放送装置および放送システムを提供することを目的とする。
【課題を解決するための手段】
【００１０】
本発明の放送装置は、送信先が異なる複数の音声パケットをそれぞれ生成する複数の音声パケット生成部と、前記送信先が異なる複数の音声パケットを多重化して多重化パケットを生成する多重化部と、前記複数の音声パケット生成部および前記多重化部を同期させる同期制御部と、前記多重化部にて生成された多重化パケットを送出する多重化パケット送出部とを備えた構成を有する。
【００１１】
この構成により、同期制御部によって、それぞれの音声パケット生成部と多重化部の同期をとるので、それぞれの音声パケット生成部で生成された音声パケットを送信する際の伝送間隔を受信側において再現することができる。これにより、高音質のデジタル音声放送を実現することができる。
【００１２】
本発明の放送装置において、前記同期制御部は、前記複数の音声パケット生成部および前記多重化部にクロック信号を供給するクロック発振器によって構成する。
【００１３】
この構成により、共通のクロック発振器を用いることで、同期を合わせることができる。
【００１４】
本発明の放送装置は、音声パケットの送信先をグルーピングするグルーピング情報を記憶した送信先情報記憶部を備え、前記多重化部は、送信先情報記憶部に記憶された送信先のグルーピング情報に基づいて、グルーピングされた送信先毎に前記音声パケットを多重化する構成を有する。
【００１５】
この構成により、グルーピング情報記憶部にグルーピング情報を記憶しておくので、グループ毎に音声パケットを多重化することが可能となる。これにより、異なるグループに属する端末宛てのパケットを多重化してしまう不都合を防止できる。
【００１６】
本発明の放送システムは、送信先の異なる複数の音声パケットを多重化した多重化パケットを送信する放送装置と、前記放送装置から送信された多重化パケットを受信し、受信した多重化パケットを音声パケットに分解してそれぞれの送信先に送信する多重分解装置とを備え、前記放送装置は、送信先が異なる複数の音声パケットをそれぞれ生成する複数の音声パケット生成部と、送信先が異なる複数の音声パケットを多重化して多重化パケットを生成する多重化部と、前記複数の音声パケット生成部および前記多重化部を同期させる同期制御部と、前記多重化部にて生成された多重化パケットを送出する多重化パケット送出部とを備えた構成を有する。
【００１７】
この構成により、本発明の放送装置と同様に、音声パケットを送信する際の伝送間隔を受信側において再現することができ、高音質のデジタル音声放送を実現することができる。また、本発明の放送システムは、本発明の放送装置の各種の構成を備えることも可能である。
【発明の効果】
【００１８】
本発明は、同期制御部によって、それぞれの音声パケット生成部と多重化部の同期をとるので、それぞれの音声パケット生成部で生成された音声パケットを送信する際の伝送間隔を受信側において再現することができ、高音質のデジタル音声放送を実現できるというすぐれた効果を有する。
【発明を実施するための最良の形態】
【００１９】
以下、本発明の実施の形態の放送システムについて図面を用いて説明する。
【００２０】
図１は、本実施の形態の放送装置１０の構成を示す図である。本実施の形態の放送装置１０は、複数の音源１２ａ〜１２ｎの音声を多重化して送信する機能を有する。本実施の形態の放送装置１０は、例えば、デパートやオフィスなどの構内放送に適用される。放送装置１０は、音声をデジタル伝送するので、端末ごとに放送内容を変更することが容易である。本実施の形態の放送装置１０の構成について説明する前に、放送装置１０が適用される放送システムについて説明する。
【００２１】
図２は、実施の形態の放送システムの構成を示す図である。放送システムは、音声を送信する放送装置１０と、放送装置１０からの音声を出力する端末３４ａ〜３４ｍ（総称して端末３４という）を備えている。端末３４は、スピーカであってもよい。本実施の形態では、放送システムが端末３４ａ〜３４ｍを備えた例について説明しているが、端末３４の台数は何台でもよい。また、放送システムは、放送装置１０からの音声データを中継するルータ３０ａ〜３０ｄ、ハブ３２ａ、３２ｂ、２線モデム３６ａ、３６ｂと、放送装置１０から送信された多重化パケットを分解する多重分解装置４０ａ、４０ｂとを備えている。
【００２２】
次に、図１を参照して、放送装置１０の構成について説明する。放送装置１０は、複数の音源１２ａ〜１２ｎ（総称して音源１２という）と、音源からの音声をデジタルデータに変換するデジタル変換部１４ａ〜１４ｎ（総称してデジタル変換部１４という）と、変換された音声データに送信先を示すデータを付加して音声パケットを生成する送信先構成部１６ａ〜１６ｎ（総称して送信先構成部１６という）とを備えている。以上の構成により、音声パケットが生成される。
【００２３】
送信先構成部１６は、送信先制御部２４の制御によって、送信先の情報を付加した音声パケットを生成する。なお、放送装置１０、音源１２、デジタル変換部１４の数は、図１に例示した数に限定されない。
【００２４】
放送装置１０は、送信先構成部１６で生成された複数の音声パケットを多重化する多重化部１８と、多重化部１８にて多重化された多重化パケットを送信する送信部２０とを備えている。多重化部１８とデジタル変換部１４ａ〜１４ｎ、および送信先構成部１６ａ〜１６ｎは、同期制御部２２に接続されている。同期制御部２２は、例えばクロック信号を生成するクロック発振器である。多重化部１８とデジタル変換部１４ａ〜１４ｎ、および送信先構成部１６ａ〜１６ｎは、同期制御部２２から供給されるクロック信号に従って動作する。これにより、デジタル変換部１４ａ〜１４ｎ、送信先構成部１６ａ〜１６ｎおよび多重化部１８の同期を合わせることができる。
【００２５】
多重化部１８は、送信先制御部２４の制御により、音声パケットを多重化する。送信先制御部２４は、端末３４ａ〜３４ｍのグルーピング情報を記憶した送信先情報データベース（以下、「送信先情報ＤＢ」という）２６に接続されており、送信先情報ＤＢ２６から読み出したグルーピング情報に従って、多重化部１８を制御する。
【００２６】
図３は、送信先情報ＤＢ２６に記憶されたデータの例を示す図である。送信先情報ＤＢ２６には、多重分解装置４０と端末３４の情報が関連付けられて記憶されている。この関連付けは、それぞれの端末３４ａ〜３４ｍがどの多重分解装置４０に接続されているかを示す。図２を参照すると、例えば、多重分解装置４０ａには、端末３４ｄ〜３４ｈが接続されている。従って、端末３４ｄ〜３４ｈはグルーピングされて、多重分解装置４０ａに関連付けられる。このようなデータベースを備えることにより、端末３４に送信するために、どの多重分解装置４０に送信するべきかを把握することができる。なお、図２に示す例では、端末３４ａ〜３４ｃは多重分解装置４０に接続されていない。このように放送システムは、一部に多重分解装置４０に接続されない端末３４を備えてもよい。
【００２７】
図１に戻って、送信先制御部２４は、送信先情報ＤＢ２６からグルーピング情報を読み出して、多重化部１８に渡す。多重化部１８は、送信先制御部２４から渡されたグルーピング情報に従って、同じグループ内の端末３４宛ての音声パケットを多重化する。多重化部１８は、生成した多重化パケットを送信部２０に渡し、送信部２０は多重化パケットを送出する。
【００２８】
図４は、本実施の形態の放送システムの動作を示す図である。放送装置１０は、出力すべき音声をそれぞれの音源１２ａ〜１２ｎによって生成し、対応するデジタル変換部１４ａ〜１４ｎに渡す（Ｓ１０）。デジタル変換部１４ａ〜１４ｎは、音源１２ａ〜１２ｎから受け取った音声をデジタルデータに変換し、対応する送信先構成部１６ａ〜１６ｎに渡す（Ｓ１２）。送信先構成部１６ａ〜１６ｎは、送信先制御部２４の指示に従って、音声のデジタルデータに送信先を示すデータを付加して音声パケットを生成し、多重化部１８に渡す（Ｓ１４）。
【００２９】
次に、送信先制御部２４は、送信先情報ＤＢ２６から送信先のグルーピング情報を読み出して、多重化部１８に渡す（Ｓ１６）。多重化部１８は、グルーピング情報に基づいて、送信先構成部１６ａ〜１６ｎから受け取った音声パケットを多重化する（Ｓ１８）。このとき、多重化部１８は、同じグループ内の端末３４宛ての音声パケットが同じ多重化パケットに含まれるように多重化する。多重化パケットには、グループに関連付けられた多重分解装置４０のアドレスを宛先アドレスとして付加する。そして、送信部２０は、多重化部１８で多重化された多重化パケットをネットワークに送出する（Ｓ２０）。
【００３０】
ネットワークに送出された多重化パケットは、宛先アドレスに従ってルーティングされ、多重分解装置４０に到達する（Ｓ２２）。多重分解装置４０は、受信した多重化パケットを分解して音声パケットを抽出し（Ｓ２４）、音声パケットを各端末３４に送信する（Ｓ２６）。各端末３４は、多重分解装置４０から送信された音声パケットを受信する。なお、多重分解装置に接続されていない端末３４ａ〜３４ｃに音声パケットを送信する場合には、放送装置１０は多重化を行わない。以上、本実施の形態の放送装置１０および放送システムの構成および動作について説明した。
【００３１】
本実施の形態の放送装置１０は、同期制御部２２を備え、デジタル変換部１４ａ〜１４ｎ、送信先構成部１６ａ〜１６ｎおよび多重化部１８にクロック信号を供給し、同期を合わせる。デジタル変換部１４ａ〜１４ｎ、送信先構成部１６ａ〜１６ｎおよび多重化部１８は、同じクロック信号に従って動作するので、送信先構成部１６ａ〜１６ｎのそれぞれで生成される音声パケットを送信する際の伝送間隔のズレを防止できる。これにより、音声パケットを受信する端末３４では、高音質の音声出力を実現できる。
【００３２】
また、本実施の形態の放送装置１０は、多重化部１８によって複数の音声パケットを多重化して多重化パケットを生成するので、所定長のパケットを用いることに起因するオーバーヘッドを低減できる。
【００３３】
また、本実施の形態の放送装置１０は、多重分解装置４０と端末３４との関係を送信先情報ＤＢ２６に記憶し、多重化部１８は、送信先情報ＤＢ２６に記憶された情報に基づいて音声パケットの多重化を行うので、異なる多重分解装置４０に接続される端末３４宛てのパケットを多重化してしまう不都合を防止できる。
【産業上の利用可能性】
【００３４】
以上説明したように、本発明は、高音質のデジタル音声放送を実現できるというすぐれた効果を有し、業務放送等を行う放送装置等として有用である。
【図面の簡単な説明】
【００３５】
【図１】本実施の形態の放送装置の構成を示す図
【図２】本実施の形態の放送システムの構成を示す図
【図３】送信先情報データベースに記憶されたデータの例を示す図
【図４】本実施の形態の放送システムの動作を示す図
【符号の説明】
【００３６】
１０  放送装置
１２ａ〜１２ｎ  音源
１４ａ〜１４ｎ  デジタル変換部
１６ａ〜１６ｎ  送信先構成部
１８  多重化部
２０  送信部
２２  同期制御部
２４  送信先制御部
２６  送信先情報データベース
３０ａ〜３０ｄ  ルータ
３２ａ、３２ｂ  ハブ
３４ａ〜３４ｍ  端末
３６ａ、３６ｂ  ２線モデム
４０ａ、４０ｂ  多重分解装置
【図１】
2007006015.tif 000003
【図２】
2007006015.tif 000004
【図３】
2007006015.tif 000005
【図４】
2007006015.tif 000006